(57)【要約】【課題】  照明器具にグループ番号を容易に設定することができる照明制御システムを提供することである。【解決手段】  端末装置１２には複数個の照明器具１６が接続され、それらの照明器具１６はグループ化されて、端末装置１２によりグループ単位で制御される。設定器１４は、照明器具１６へのグループ番号の設定にあたり、端末装置１２に接続された照明器具の点灯状態により、順次、照明器具１６を絞り込んでいき、最終的にグループ番号設定対象の照明器具１６を特定し、その照明器具１６にグループ番号を設定する。【選択図】  図１
2007073393.tif 000002
【特許請求の範囲】
【請求項１】
複数の照明器具と；
複数の照明器具をその点灯状態により、順次、照明器具を絞り込んでいき、最終的にグループ番号設定対象の照明器具を特定し、その照明器具にグループ番号を設定してグループ化する設定器と；
複数の照明器具を接続しグループ単位で制御する複数個の端末装置と；
を備えたことを特徴とする照明制御システム。
【請求項２】
前記設定器は、前記照明器具に対してグループ番号を設定する際に、前記照明器具に予め個別に割り当てられているアドレス番号を細分化したビットを利用して点灯状態を変化させてグループ番号設定対象の照明器具を特定することを特徴とする請求項１記載の照明制御システム。
【請求項３】
前記設定器に光センサを設け、前記光センサで検出した照度により照明器具の点灯状態を判別することを特徴とする請求項１記載の照明制御システム。
【請求項４】
前記設定器は、前記光センサで検出した光信号に基づいて点灯周波数を抽出し、前記光センサで検出した照度および前記抽出した点灯周波数により、照明器具の点灯状態を判別することを特徴とする請求項３記載の照明制御システム。
【発明の詳細な説明】
【技術分野】
【０００１】
本発明は、端末装置に接続した複数個の照明器具をグループ制御する照明制御システムに関する。
【背景技術】
【０００２】
照明制御システムとして、複数個の照明器具をグループ化して点消灯や調光をグループ単位でグループ制御するようにしたものがある（例えば、特許文献１参照）。このような照明制御システムでは、各々の照明器具ごとにアドレスが設定され、複数の端末装置のいずれかに接続されている。そして、各々の照明器具はアドレスとは別にグループ番号が設定され、グループ単位で点消灯や調光制御が行われている。グループは別の端末装置に接続された端末装置を跨って設定されることもある。
【０００３】
このようなグループ制御のためのグループ番号を設定するには、例えば、各々の照明器具に対して個別に設定器を接続して設定したり、端末装置に接続されている照明器具を１つのグループとして認識する場合には、その端末装置にグループ番号を設定したりしている。
【特許文献１】特開２００３−３４８０８９号公報
【発明の開示】
【発明が解決しようとする課題】
【０００４】
しかし、各々の照明器具に設定器を接続してグループ番号を設定することは時間や手間がかかり非効率的である。また、グループ番号を誤って設定する可能性もある。一方、中央装置から端末装置に無線によるデータ通信でグループ番号を設定することも考えられるが無線を利用することはコスト高となる。
【０００５】
本発明の目的は、照明器具にグループ番号を容易に設定することができる照明制御システムを提供することである。
【課題を解決するための手段】
【０００６】
請求項１の発明に係わる照明制御システムは、複数の照明器具と；複数の照明器具をその点灯状態により、順次、照明器具を絞り込んでいき、最終的にグループ番号設定対象の照明器具を特定し、その照明器具にグループ番号を設定してグループ化する設定器と；複数の照明器具を接続しグループ単位で制御する複数個の端末装置と；を備えたことを特徴とする。
【０００７】
本発明および以下の発明において、特に指定しない限り用語の定義および技術的意味は以下による。照明制御システムは、例えば、ビルの照明に使用される複数個の照明器具をエリアや階床ごとにグループ化し、点消灯や調光をグループ単位でグループ制御するものである。
【０００８】
例えば、エリアに応じて照明器具がグループ化され、グループ番号が同じ照明器具はそのグループ単位で点消灯や調光制御が行われる。照明器具は複数の端末装置のいずれかに接続されるが、同じグループの照明器具が別の端末装置に跨って設定されることもある。
【０００９】
設定器は照明器具にグループ番号を設定するものである。グループ番号の設定にあたっては、端末装置は自己に接続された全照明器具の点灯状態を順次変化させていき、設定器からグループ番号設定対象照明器具の点灯状態変化の通知を受け、設定器からの点灯状態変化の通知により順次照明器具を絞込み、最終的にグループ番号設定対象の照明器具を特定する。そして、特定された照明器具に対してグループ番号を設定する。照明器具の点灯状態には、点灯状態、消灯状態、調光状態が含まれる。
【００１０】
請求項２の発明に係わる照明制御システムは、請求項１の発明において、前記設定器は、前記照明器具に対してグループ番号を設定する際に、前記照明器具に予め個別に割り当てられているアドレス番号を細分化したビットを利用して点灯状態を変化させてグループ番号設定対象の照明器具を特定することを特徴とする。
【００１１】
本発明は、設定器から端末装置に対して、照明器具に予め個別に割り当てられているアドレス番号を細分化したビットを順次通知し、端末装置は自己に接続された全照明器具を設定器からのビット情報に基づいて点灯状態を順次変化させていき、設定器からグループ番号設定対象照明器具の点灯状態変化の通知を受け、設定器からの点灯状態変化の通知により順次照明器具を絞込み、最終的にグループ番号設定対象の照明器具を特定するようにしたものである。
【００１２】
請求項３の発明に係わる照明制御システムは、請求項１の発明において、前記設定器に光センサを設け、前記光センサで検出した照度により照明器具の点灯状態を判別することを特徴とする。
【００１３】
本発明は、自動で設定器から端末装置にグループ番号設定対象照明器具の点灯状態変化を通知できるようにしたものである。設定器の光センサでグループ番号設定対象照明器具の点灯状態を検出し、設定器はその検出した点灯状態を端末装置に送信する。
【００１４】
請求項４の発明に係わる照明制御システムは、請求項３の発明において、前記設定器は、前記光センサで検出した光信号に基づいて点灯周波数を抽出し、前記光センサで検出した照度および前記抽出した点灯周波数により、照明器具の点灯状態を判別することを特徴とする。
【００１５】
本発明は、光センサで検出した照度だけでなく、光センサで検出した光信号から抽出した点灯周波数により照明器具の点灯状態を判別するようにしたものである。
【発明の効果】
【００１６】
請求項１の発明によれば、端末装置に接続された照明器具の点灯状態により、順次、設定器で照明器具を絞り込んでいき、最終的にグループ番号設定対象の照明器具を特定するので、低コストでグループ番号の設定が可能となる。
【００１７】
請求項２の発明によれば、照明器具に予め個別に割り当てられているアドレス番号を細分化したビットを設定器から端末装置に通知して、そのビット情報に基づいて照明器具の点灯状態を順次変化させて、最終的にグループ番号設定対象の照明器具を特定するので、簡便かつ低コストでグループ番号の設定が可能となる。
【００１８】
請求項３の発明によれば、設定器の光センサでグループ番号設定対象照明器具の点灯状態を検出し、自動で設定器から端末装置にグループ番号設定対象照明器具の点灯状態変化を通知するので、設定器の光センサをグループ番号設定対象照明器具に向けて静止状態を維持しておくだけで、グループ番号設定対象照明器具を特定できる。
【００１９】
請求項４の発明によれば、照度だけの判断であると、両隣の照明器具が消灯した場合に点灯状態から消灯状態に変化したと判断される場合があるが、光信号から抽出した点灯周波数により照明器具の点灯状態を判別するので、照明器具の点灯状態をより精度良く判定できる。
【発明を実施するための最良の形態】
【００２０】
（第１の実施の形態）
図１は本発明の第１の実施の形態に係わる照明制御システムの構成図である。主装置１１および複数の端末装置１２ａ、１２ｂは無線ネットワーク１３に接続され、設定器１４も無線ネットワーク１３に接続されている。端末装置１２ａ、１２ｂには、それぞれ通信線１５ａ、１５ｂにより、複数個の照明器具１６ａ１〜１６ａ３、１６ｂ１〜１６ｂ４が接続される。図１では２個の端末装置１２ａ、１２ｂを示しているが、実際には少なくとも１個の端末装置１２が無線ネットワーク１３に接続することができる。
【００２１】
複数個の照明器具１６ａ１〜１６ａ３、１６ｂ１〜１６ｂ４は、主装置１１によりグループ単位で制御される。いま、照明器具１６ａ１、１６ａ２はグループ１、照明器具１６ａ３、１６ｂ１はグループ２、照明器具１６ｂ２〜１６ｂ４はグループ３に設定して、グループ制御するものとする。
【００２２】
各々の照明器具１６ａ１〜１６ａ３、１６ｂ１〜１６ｂ４へのグループの設定は、設定器１４により行われる。まず、設定器１４から端末装置１２ａまたは端末装置１２ｂに対してグループ番号の設定を行う旨を通知する。いま、照明器具１６ａ１をグループ番号設定対象の照明器具として着目したとする。設定器１４から無線ネットワーク１３を介して端末装置１２ａに対してグループ番号の設定を行う旨を通知すると、端末装置１２ａは、自己に接続されているすべての照明器具１６ａ１〜１６ａ３を点灯状態とする。この状態では着目した照明器具１６ａ１が点灯しているので、設定器１４から点灯している旨を無線ネットワーク１３を介して端末装置１２ａに通知する。
【００２３】
次に、端末装置１２ａは、照明器具１６ａ２、１６ａ３を点灯状態に保ったまま、照明器具１６ａ１を消灯状態とする。この状態では着目した照明器具１６ａ１が消灯しているので、設定器１４から消灯している旨を端末装置１２ａに通知する。
【００２４】
端末装置１２ａは、消灯している照明器具１６ａ１が着目する照明器具である旨の通知を設定器１４から受けると、消灯している照明器具は照明器具１６ａ１だけであることから、照明器具１６ａ２、１６ａ３を消灯し照明器具１６ａ１のみを点灯状態として、照明器具１６ａ１がグループ番号設定対象の照明器具であることをユーザーに知らせる。ユーザーは、照明器具１６ａ１のみが点灯状態となったことで照明器具１６ａ１がグループ番号設定対象の照明器具であることを知る。そして、設定器１４からグループ番号を端末装置１２ａに送信する。これにより端末装置１２ａははその照明器具にグループ番号を設定する。
【００２５】
このように、設定器１４は端末装置１２ａ、１２ｂに接続された照明器具１６ａ１〜１６ａ３、１６ｂ１〜１６ｂ４の点灯状態により、順次、照明器具を絞り込んでいき、最終的にグループ番号設定対象の照明器具を特定し、その照明器具にグループ番号を設定する。
【００２６】
図２は、本発明の第１の実施の形態における設定器１４の外観構成図である。設定器１４は無線ネットワーク１３と通信を行うためのアンテナ１７を有し、グループ番号の設定のためのコマンドを入力するコマンドボタン１８、グループ番号を指定する数値ボタン１９、エンターボタン２０、および動作状態を音出力するブザー２１を有する。コマンドボタン１８は、グループ番号設定の開始ボタン、変更ボタン、削除ボタン、クリアボタン、点灯ボタン、消灯ボタン、調光ボタンからなる。また、数値ボタン１９は１６進数の各々の数値を入力するためのボタンを有する。
【００２７】
図３は、複数個の照明器具１６に対して２分割を繰り返してグループ番号設定対象の照明器具を特定しグループ番号を設定する一例の説明図である。設定器１４からすべての照明器具１６を半分に分割する情報を送信する。例えば、Ｄ１とＤ２〜Ｄｎとの二分割をする場合、半分にあたる照明器具Ｄ２〜Ｄｎを指定した情報を送信する。この情報を受信した半分の照明器具Ｄ２〜Ｄｎを点灯する。これにより、半分のＤ１が消灯し、残りのＤ２〜Ｄｎが点灯する。
【００２８】
このとき、グループ番号設定対象の照明器具が点灯しているならば、ユーザーは設定器１４の点灯ボタンを押し、グループ番号設定対象の照明器具が消灯していれば消灯ボタンを押す。設定器１４は点灯ボタンが押されたのであれば、送信したアドレスを設定候補として保存し、残りのアドレスは破棄する。また、消灯ボタンが押された場合は、送信したアドレスを破棄し、残ったアドレスを設定候補として保存する。以下の説明では、グループ番号設定対象の照明器具が点灯している場合について説明する。
【００２９】
次に、設定候補のアドレス群を二分し、同様に一方を点灯させてもう一方を消灯させる。半分のＤ２を消灯させ、残りのＤ３〜Ｄｎを点灯させる。以下、同様に、順次二分していき、最後に一台が特定されるまで繰り返す。この場合、二分する対象が奇数個となったときには、例えば２ｎと２ｎ−１に分ける。最終分割の一つ前の状態で３個になった場合には、２個と１個に分けて最後の一台を特定する。これにより、設定器１４にはユーザーがグループ番号設定対象としている端末装置１２のアドレス情報が作成できる。この前作業で得られたアドレスに対して設定器１２から設定するグループ番号を送信することでグループ番号の設定が完了する。
【００３０】
図４は、複数個の照明器具１６に対して予め個別に割り当てられているアドレス番号を細分化したビットを利用してグループ番号を設定する一例の説明図である。まず、設定器１４からすべての照明器具に対してアドレスの最下位ビットｂ１を指定する旨の情報をブロードキャストする。この情報を受信した照明器具は自己の照明器具のアドレスの該当ビットが「１」であれば点灯する。このとき、ユーザーが対象としている照明器具が点灯しているならば、ユーザーは設定器１４の点灯ボタンを押し、対象としている照明器具が消灯していれば消灯ボタンを押す。設定器１４は最下位ビットｂ１をユーザーから押された情報をもとに保存する。点灯であれば「１」、消灯であれば「０」を保存する。
【００３１】
次に最下位ビットｂ１の次ビットｂ２について同様の処理を行う。以下、同様に最上位ビットｂ８まで同様の処理を繰り返すことにより、設定器１４にはユーザーが設定対象としている照明器具のアドレス情報が作成でき、グループ番号設定対象の照明器具を特定できる。この前作業で得られたアドレスに対して、設定器１４から設定するグループ番号を送信する。これにより、グループ番号設定対象の照明器具へのグループ番号の設定が完了する。
【００３２】
図５は、複数個の照明器具１６に対して３分割を繰り返してグループ番号設定対象の照明器具を特定しグループ番号を設定する一例の説明図である。設定器１４からすべての照明器具１６を三分割する情報を送信する。例えば、Ｄ１１、Ｄ１２、残りのＤ２１〜Ｄｍｉとの三分割をする場合、例えば、一つのグループＤ１１の照明器具に対して調光率１００％で点灯を指示し、二つ目のグループＤ１２に対しては調光率２５％で点灯を指示し、最後のグループＤ１３（Ｄ２１〜Ｄｍｉ）は消灯を指示する。そして、ユーザーは対象としている照明器具の状態を設定器１４の三種類のボタン（点灯、調光、消灯）を押すことで三種類の状態から一種類の状態を特定し設定候補を指定する。
【００３３】
次に、残った設定候補を三等分して以下同様の作業を繰り返し、最後に一台が特定されるまで行う。この場合、三等分する対象が３の倍数でないときには、例えば、（３ｎ、３ｎ、３ｎ＋１）、（３ｎ、３ｎ＋１、３ｎ＋１）、（３ｎ、３ｎ、３ｎ＋２）に分ける。そして、最終分割の一つ前の状態で４個になった場合には、２個、１個、１個に分けて最後の一台を特定する。これにより、設定器１４にはユーザーが設定対象としている照明器具のアドレス情報が作成できる。この前作業で得られたアドレスに対して、設定器１４から設定するグループ番号を送信する。これにより、グループ番号設定対象の照明器具へのグループ番号の設定が完了する。
【００３４】
第１の実施の形態によれば、端末装置１２に接続された照明器具１６の点灯状態により、順次、設定器１４で照明器具１６を絞り込んでいき、最終的にグループ番号設定対象の照明器具を特定するので、アドレス番号が不明であってもグループ番号の設定が可能となる。
【００３５】
（第２の実施の形態）
図６は、本発明の第２の実施の形態における設定器の外観構成図である。図２に示した第１の実施の形態の設定器１４に対し、光センサ２２を追加して設け、光センサ２２で検出した照度により照明器具１６の点灯状態を自動で判別するようにしたものである。
【００３６】
すなわち、設定器１４の光センサ２２をグループ番号設定対象の照明器具に向けて静止しその状態を維持する。これにより、グループ番号設定対象の照明器具の点灯状態を光センサ２２で検出できるようにする。例えば、光センサ２２の光検知部の周囲を筒体で包囲して、光検知部を向けた方向の光だけを感度良く検知できるようにすることができる。
【００３７】
また、図７に示すように、筒体２３の底部に光センサ２２を収納し光センサ２２を伸縮可能なケーブル２５で設定器１４に接続するようにしてもよい。この光センサ２２は、使用しないときは、図７の下方から設定器１４の本体の収納部２４に差し込まれて収納されており、光センサ２２を使用するときは収納部２４から取り外してグループ番号設定対象の照明器具に向ける。
【００３８】
光センサ２２の光検知部の周囲を筒体２３で包囲しており、センサ部２４は伸縮可能なケーブル２５で接続されているので、設定器１４は手元に置いたままで光センサ２２だけをグループ番号設定対象の照明器具の近傍まで移動させることができる。従って、グループ番号設定対象の照明器具の点灯状態を精度良く検出しつつ、設定器１４は手元に置いておくことができるので操作性が向上する。
【００３９】
図８は、図６または図７に示した光センサ２２付の設定器１４を用いて、端末装置１２に接続された照明器具１６の点灯状態により、最終的にグループ番号設定対象の照明器具１６を特定する手順（実施例１）の説明図である。いま、４個の照明器具１〜４のうちの照明器具３がグループ番号設定対象の照明器具である場合について説明する。
【００４０】
まず、グループ番号設定対象の照明器具３の点灯状態を光センサ２２で検出できるようにする。例えば、図６の光センサ２２付の設定器１４の場合は、光センサ２２をグループ番号設定対象の照明器具３に向けて静止する。図７のセンサ部２４付の設定器１４の場合は、センサ部２４をグループ番号設定対象の照明器具３に向けて静止する。
【００４１】
この状態で、設定器１４の開始ボタンを押すと、グループ番号設定の動作が開始した旨の通知音「ピッピッ」がブザー２１から出力されるとともに、設定器１４から無線ネットワーク１３を経由して端末装置１２にその旨が伝送され、端末装置１２はすべての照明器具１〜４を点灯状態とする（第一選択状態）。
【００４２】
次に、端末装置１２は、すべての照明器具１〜４の半分の照明器具１、２を点灯状態とし、残りの照明器具３、４を２５％調光とする。この状態変化を設定器１４の光センサ２２で受信したときはその旨の通知音「ピッ」を出力する（第二選択状態）。
【００４３】
次に、設定器１４の光センサ２２はグループ番号設定対象の照明器具３の点灯状態（２５％調光）を検出し、端末装置１２に無線ネットワーク１３を介して通知する。端末装置１２は、グループ番号設定対象の照明器具３の点灯状態が２５％調光であることから、グループ番号設定対象の照明器具は照明器具３、４のいずれかであり、照明器具１、２は対象外であると判断する、つまり、対象外の照明器具１、２を消灯し、残りの照明器具３、４の半分の照明器具３を点灯とし、残りの照明器具４を２５％調光とする。この状態に変化したときにはその旨の通知音「ピッ」を出力する（第三選択状態）。
【００４４】
設定器１４の光センサ２２はグループ番号設定対象の照明器具３の点灯状態（点灯）を検出し、端末装置１２に無線ネットワーク１３を介して通知する。端末装置１２は、グループ番号設定対象の照明器具３の点灯状態が点灯であることから、グループ番号設定対象の照明器具は照明器具３であり、照明器具４は対象外であると判断する、つまり、対象外の照明器具４を消灯し、グループ番号設定対象の照明器具３を点灯とする。これにより、グループ番号設定対象の照明器具３が特定されたことになるので、この状態に変化したときにはその旨の通知音「ピー」を出力する（選択完了）。
【００４５】
グループ番号設定対象の照明器具３が特定されたので、ユーザーは設定器１４の数値ボタン１９からグループ番号を入力しエンターボタン２０を押す。これにより、設定器１４から無線ネットワーク１３を介して、主装置１１および端末装置１２に照明器具３のグループ番号が送信される。これにより、照明器具３のグループ番号が設定される。端末装置１２はすべての照明器具１〜４を点灯にし、設定完了した旨の通知音「ブー」を出力する（設定完了）。
【００４６】
図９は、本発明の第２の実施の形態において自動でグループ番号設定対象の照明器具を特定する手順（実施例２）の説明図である。この実施例２は図８に示した実施例１に対し、すべての照明器具１〜４に対して新規にグループ番号を設定する場合には、既に設定済みの照明器具に対しては予めグループ番号設定の対象外照明器具としておくものである。
【００４７】
いま、４個の照明器具１〜４のうちの照明器具３は設定済みで照明器具２にグループ番号を設定する場合について説明する。まず、設定器１４の光センサ２２をグループ番号設定対象の照明器具３に向けて静止し、その状態を維持する。この状態で、設定器１４の開始ボタンを押すと、グループ番号設定の動作が開始した旨の通知音「ピッピッ」がブザー２１から出力されるとともに、端末装置１２は、既に設定済みの照明器具３を対象外とする。つまり、照明器具３を消灯とし、残りの照明器具１、２、４を２区分して、照明器具１、２を点灯状態とし、残りの照明器具４を２５％調光とする（第一選択状態）。
【００４８】
次に、設定器１４の光センサ２２はグループ番号設定対象の照明器具２の点灯状態（点灯）を検出し、端末装置１２に無線ネットワーク１３を介して通知する。端末装置１２は、グループ番号設定対象の照明器具２の点灯状態が点灯であることから、グループ番号設定対象の照明器具は照明器具１、２のいずれかであり、照明器具４は対象外であると判断する、つまり、対象外の照明器具４を消灯し、残りの照明器具１、２の半分の照明器具１を点灯とし、残りの照明器具２を２５％調光とする。この状態に変化したときにはその旨の通知音「ピッ」を出力する（第二選択状態）。
【００４９】
設定器１４の光センサ２２はグループ番号設定対象の照明器具２の点灯状態（２５％調光）を検出し、端末装置１２に無線ネットワーク１３を介して通知する。端末装置１２は、グループ番号設定対象の照明器具２の点灯状態が２５％調光であることから、グループ番号設定対象の照明器具は照明器具２であり、照明器具１は対象外であると判断する、つまり、対象外の照明器具１を消灯し、グループ番号設定対象の照明器具２を点灯とする。これにより、グループ番号設定対象の照明器具２が特定されたことになるので、この状態に変化したときにはその旨の通知音「ピー」を出力する（選択完了）。
【００５０】
グループ番号設定対象の照明器具３が特定されたので、ユーザーは設定器１４の数値ボタン１９からグループ番号を入力しエンターボタン２０を押す。これにより、設定器１４から無線ネットワーク１３を介して、主装置１１および端末装置１２に照明器具２のグループ番号が送信される。これにより、照明器具２のグループ番号が設定される。端末装置１２はすべての照明器具１〜４を点灯にし、設定完了した旨の通知音「ブー」を出力する（設定完了）。以下、同様に照明器具１、４について順番に設定して終了する。その際には、設定済みの照明器具３、２については消灯している。
【００５１】
図１０は、本発明の第２の実施の形態において自動でグループ番号設定対象の照明器具を特定する手順（実施例３）の説明図である。この実施例３は図８に示した実施例１に対し、すべての照明器具１〜４に対して一括して同じグループ番号を設定する場合のものである。
【００５２】
４個の照明器具１〜４に同一グループ番号を設定する場合には、設定器１４の光センサ２２を４個の照明器具１〜４に向けて設定器１４の開始ボタンを押す。そうすると、グループ番号設定の動作が開始した旨の通知音「ピッピッ」がブザー２１から出力されるとともに、端末装置１２はすべての照明器具１〜４を点灯状態とする（第一選択状態）。この状態で、ユーザーは設定器１４の数値ボタン１９からグループ番号を入力しエンターボタン２０を押す。これにより、設定器１４から無線ネットワーク１３を介して、主装置１１および端末装置１２に照明器具１〜４のグループ番号が送信される。これにより、照明器具１〜４のグループ番号が設定される。端末装置１２はすべての照明器具１〜４を点灯にし、設定完了した旨の通知音「ブー」を出力する（設定完了）。
【００５３】
図１１は、本発明の第２の実施の形態において自動でグループ番号設定対象の照明器具を特定する手順（実施例４）の説明図である。この実施例４は図１０に示した実施例３に対し、すべての照明器具１〜４に対して一括して同じグループ番号を設定することに代えて、一部の照明器具１、２、４に対して一括して同じグループ番号を設定する場合のものである。
【００５４】
一括して同じグループ番号を設定する照明器具１、２、４が点灯し、照明器具３が消灯した状態（所望の点灯状態）となったときに、その旨の通知音「ピッ」を出力する（第ｎ選択状態）。この状態で、ユーザーは設定器１４の数値ボタン１９からグループ番号を入力しエンターボタン２０を押す。これにより、設定器１４から無線ネットワーク１３を介して、主装置１１および端末装置１２に照明器具１、２、４のグループ番号が送信される。これにより、照明器具１、２、４のグループ番号が設定される。端末装置１２はすべての照明器具１〜４を点灯にし、設定完了した旨の通知音「ブー」を出力する（設定完了）。
【００５５】
図１２は、本発明の第２の実施の形態において自動でグループ番号設定対象の照明器具を特定する手順（実施例５）の説明図である。この実施例５は図８に示した実施例１に対し、グループ番号の設定がうまくできなかった場合に設定を強制的に終了させるようにしたものである。
【００５６】
図１２では、第一選択状態から第二選択状態と順調に手順が進んできたが、第二選択状態から第三選択状態への移行が異常となった場合を示している。例えば、照明器具３がグループ番号設定対象の照明器具であるとした場合、第二選択状態から第三選択状態の移行は正常であると、照明器具１、２は消灯となるべきであるが、２５％調光となっている。このように、グループ番号の設定がうまくできなかった場合には、ユーザーは設定器１４のクリアボタンを押す。クリアボタンが押されたことを無線ネットワーク１３を介して端末装置１２に伝送する。端末装置１２はクリアボタンが押されたことを受信したときは、選定開始前の状態に戻す（設定強制終了）。
【００５７】
図１３は、本発明の第２の実施の形態において自動でグループ番号設定対象の照明器具を特定する手順（実施例６）の説明図である。この実施例６は既に設定されているグループ番号の番号自体を変更する場合のものである。いま、照明器具１、２、４にグループ番号「１」が設定されており、これをグループ番号「２」に変更する場合を考える。
【００５８】
まず、変更ボタンを押すと、グループ番号変更の動作が開始した旨の通知音「ピッピッ」がブザー２１から出力されるとともに、端末装置１２はすべての照明器具１〜４を点灯状態とする（選択方法の指示待ち）。この状態で、数値ボタンから既に設定済みの旧グループ番号「１」を入力すると、既に設定済みの旧グループ番号「１」が入力された旨の通知音「ピッ」が出力されるとともに、旧グループ番号「１」の照明器具を点灯する（入力されたグループを点灯）。そして、この状態で新グループ番号「２」を入力する。これにより、新グループ番号「２」が入力され新グループ番号「２」に変更となった旨の通知音「ブー」を出力する（設定変更完了）。
【００５９】
図１４は、本発明の第２の実施の形態において自動でグループ番号設定対象の照明器具を特定する手順（実施例７）の説明図である。この実施例７は既に設定されているグループの一部の照明器具を他のグループに変更する場合のものである。いま、照明器具１、２、４がグループ番号「１」に設定されており、これのうちの照明器具４をグループ番号「２」に変更する場合を考える。
【００６０】
まず、変更ボタンを押すと、グループ番号変更の動作が開始した旨の通知音「ピッピッ」がブザー２１から出力されるとともに、端末装置１２はすべての照明器具１〜４を点灯状態とする（選択方法の指示待ち）。この状態で、数値ボタンから既に設定済みの旧グループ番号「１」を入力すると、既に設定済みの旧グループ番号「１」が入力された旨の通知音「ピッ」が出力されるとともに、旧グループ番号「１」の照明器具を点灯する（入力されたグループを点灯）。
【００６１】
この状態で変更ボタンを押すと、グループ番号変更の照明器具の選択が開始された旨の通知音「ピッピッ」がブザー２１から出力されるとともに、端末装置１２は旧グループ番号「１」の照明器具を区分し、区分した一方を２５％調光とする（選択開始）。図１４では照明器具１、２が点灯で、照明器具４が２５％調光とした場合を示している。設定器１４の光センサ２２はこれを検出し、グループ番号を変更する照明器具を選択すると、その旨の通知音「ピー」を出力するとともに、グループ番号を変更する照明器具４を点灯する（選択完了）。
【００６２】
そして、この状態で新グループ番号「２」を入力する。これにより、新グループ番号「２」が入力され、照明器具４が新グループ番号「２」に変更となった旨の通知音「ブー」を出力する（設定変更完了）。
【００６３】
図１５は、本発明の第２の実施の形態において自動でグループ番号設定対象の照明器具を特定する手順（実施例８）の説明図である。この実施例８はグループ番号変更対象の照明器具のグループ番号が不明である場合のものである。いま、照明器具４がグループ番号変更対象の照明器具であるとする。
【００６４】
まず、設定器１４の光センサ２２をグループ番号変更対象の照明器具４に向けて静止し、その状態を維持する。この状態で変更ボタンを押すと、グループ番号変更の照明器具の選択が開始された旨の通知音「ピッピッ」がブザー２１から出力されるとともに、照明器具１〜４の点灯状態が変化して、その旨の通知音「ピッ」がブザー２１から出力され、グループ番号を変更する照明器具が選択されると、その旨の通知音「ピー」がブザー２１から出力される。そして、グループ番号を変更する照明器具４が点灯する（選択完了）。
【００６５】
そして、この状態で新グループ番号を入力する。これにより、新グループ番号が入力され、照明器具４が新グループ番号に変更となった旨の通知音「ブー」を出力する（設定変更完了）。
【００６６】
以上の説明では、設定器１４の光センサ２２で検出した照度により照明器具の点灯状態を自動で判別するようにしたが、光センサ２２で検出した光信号に基づいて点灯周波数を抽出し、光センサ２２で検出した照度および抽出した点灯周波数により、照明器具の点灯状態を判別するようにしてもよい。
【００６７】
ユーザーはグループ番号設定対象の照明器具に設定器１４の光センサ２２の光検知部を向けており、設定器１４の光センサ２２が点灯状態を検出するが、照度だけの判断であると、両隣の照明器具が消灯した場合に点灯状態から消灯状態に変化したと判断される場合がある。
【００６８】
そこで、光センサ２２で検出した光信号の点灯周波数成分を抽出し、照明器具が点灯しているか否かを判定する。一般に、照明器具の光源はインバータで高周波点灯されているので、その点灯周波数と照度値とが比例していることを利用して照明器具が点灯しているか否かを判定する。すなわち、光信号から抽出した点灯周波数により照明器具の点灯状態を判別するので、照明器具の点灯状態をより精度良く判定できる。
【００６９】
また、以上の説明では、照明器具にグループ番号を設定する際に、端末装置１２は複数個の照明器具を２分割または３分割して、最終的にグループ番号設定対象となった照明器具を特定するようにしたが、端末装置１２は独自の点灯パターンを照明器具に指示し、この独自の点灯パターンに基づきグループ番号設定対象を特定するようにしてもよい。
【００７０】
すなわち、端末装置１２は独自の点灯パターンを照明器具に指示し、設定器１４はグループ番号設定対象となった照明器具の点灯状態を認識する。そして、その認識した点灯状態を端末装置１２へ送信し、端末装置１２はその点灯状態を基にして次なる点灯パターンを照明器具に指示し、このステップを数回繰り返すことでグループ番号設定対象の照明器具を特定する。グループ番号設定対象の照明器具の特定が完了した後は、照明器具と設定器との間で通信を行うことができるので、照明器具にグループ情報を送信して設定が完了する。
【００７１】
第２の実施の形態によれば、設定器１４の光センサ２２でグループ番号設定対象の照明器具の点灯状態を検出し、自動で設定器１４から端末装置１２にグループ番号設定対象の照明器具の点灯状態変化を通知するので、設定器１４の光センサ２２をグループ番号設定対象の照明器具に向けて静止状態を維持しておくだけで、グループ番号設定対象の照明器具を特定できる。
【図面の簡単な説明】
【００７２】
【図１】本発明の第１の実施の形態に係わる照明制御システムの構成図。
【図２】本発明の第１の実施の形態における設定器の外観構成図。
【図３】本発明の第１の実施の形態において複数個の照明器具に対して２分割を繰り返してグループ番号設定対象の照明器具を特定しグループ番号を設定する一例の説明図。
【図４】本発明の第１の実施の形態において複数個の照明器具に対して予め個別に割り当てられているアドレス番号を細分化したビットを利用してグループ番号を設定する一例の説明図。
【図５】本発明の第１の実施の形態において複数個の照明器具に対して３分割を繰り返してグループ番号設定対象の照明器具を特定しグループ番号を設定する一例の説明図。
【図６】本発明の第２の実施の形態における設定器の外観構成図。
【図７】本発明の第２の実施の形態における設定器の他の一例を示す外観構成図。
【図８】本発明の第２の実施の形態において自動でグループ番号設定対象の照明器具を特定する手順（実施例１）の説明図。
【図９】本発明の第２の実施の形態において自動でグループ番号設定対象の照明器具を特定する手順（実施例２）の説明図。
【図１０】本発明の第２の実施の形態において自動でグループ番号設定対象の照明器具を特定する手順（実施例３）の説明図。
【図１１】本発明の第２の実施の形態において自動でグループ番号設定対象の照明器具を特定する手順（実施例４）の説明図。
【図１２】本発明の第２の実施の形態において自動でグループ番号設定対象の照明器具を特定する手順（実施例５）の説明図。
【図１３】本発明の第２の実施の形態において自動でグループ番号設定対象の照明器具を特定する手順（実施例６）の説明図。
【図１４】本発明の第２の実施の形態において自動でグループ番号設定対象の照明器具を特定する手順（実施例７）の説明図。
【図１５】本発明の第２の実施の形態において自動でグループ番号設定対象の照明器具を特定する手順（実施例８）の説明図。
【符号の説明】
【００７３】
１１…主装置、１２…端末装置、１３…無線ネットワーク、１４…設定器、１５…通信線、１６…照明器具、１７…アンテナ、１８…コマンドボタン、１９…数値ボタン、２０…エンターボタン、２１…ブザー、２２…光センサ、２３…筒体、２４…収納部、２５…ケーブル
【図１】
2007073393.tif 000003
【図２】
2007073393.tif 000004
【図３】
2007073393.tif 000005
【図４】
2007073393.tif 000006
【図５】
2007073393.tif 000007
【図６】
2007073393.tif 000008
【図７】
2007073393.tif 000009
【図８】
2007073393.tif 000010
【図９】
2007073393.tif 000011
【図１０】
2007073393.tif 000012
【図１１】
2007073393.tif 000013
【図１２】
2007073393.tif 000014
【図１３】
2007073393.tif 000015
【図１４】
2007073393.tif 000016
【図１５】
2007073393.tif 000017